(57)【要約】【課題】上部のスライド板を回転スライドさせて蓋体の飲み口を出現させるタンブラーを提供する。【解決手段】合成樹脂製の外ケースと内ケースとからなる容器本体１２と、容器本体の縁部に着脱自在に螺着する蓋体１４と、蓋体の上部に沿って回転スライドするスライド板１５とを備えるタンブラー１１であって、蓋体は、中心部から外側位置に設けられスライド板を回転可能に支持する支持孔と、飲み口２７とを有して、上部２１が球面形状に形成されており、スライド板は、支持孔に挿着する支持片を有し、蓋体の上部に沿った球面形状に形成されており、蓋体の球面形状及びスライド板の球面形状は、同一球体の球面の一部を円形に切り取った形状であり、スライド板を蓋体の上部に重ね合わせた状態で、当該スライド板が回転スライド可能な構成である。【選択図】図６
0003210000.tif 000002
【実用新案登録請求の範囲】
【請求項１】
合成樹脂製の外ケースと内ケースとからなる容器本体と、該容器本体の縁部に着脱自在に螺着する蓋体と、該蓋体の上部に沿って回転スライドするスライド板とを備えるタンブラーであって、
前記蓋体は、中心部から外側位置に設けられ前記スライド板を回転可能に支持する支持孔と、飲み口とを有して、上部が球面形状に形成されており、
前記スライド板は、前記支持孔に挿着する支持片を有し、前記蓋体の上部に沿った球面形状に形成されており、
前記蓋体の球面形状及び前記スライド板の球面形状は、同一球体の球面の一部を円形に切り取った形状であり、
前記スライド板を前記蓋体の上部に重ね合わせた状態で、当該スライド板が回転スライド可能な構成であること
を特徴とするタンブラー。
【請求項２】
前記蓋体の上部には、前記支持孔の縁部に沿って湾曲状の溝部が形成され、該溝部の両方の端部近傍には、段差部が形成されており、
前記スライド板には、前記溝部に嵌まって移動する突部が形成されていること
を特徴とする請求項１に記載のタンブラー。
【請求項３】
前記外ケースと前記内ケースとの間には、発泡ウレタンが充填されていること
を特徴とする請求項１に記載のタンブラー。
【考案の詳細な説明】
【技術分野】
【０００１】
本考案は、上部のスライド板を回転スライドさせて蓋体の飲み口を出現させるタンブラーに関するものである。
【背景技術】
【０００２】
従来のタンブラーとしては、次のような構成のものが知られている。このタンブラーは、金属製の外筒と内筒とからなる容器本体と、容器本体の上部に着脱自在に取り付けられる蓋体とからなり、蓋体の傾斜部には飲み口と通気孔とが形成され、傾斜部に設けたヒンジ部を中心にして上下方向に回動自在な蓋片を有し、蓋片には回動により飲み口と通気孔とを密閉し又は開放する栓体を有する構成である（特許文献１参照）。
【０００３】
このような構成のタンブラーは、蓋片がヒンジ部を中心にして上下方向に回動するので、タンブラーを使用しない時には、蓋片を下げて、栓体で飲み口と通気孔とを密閉状態に閉塞する。また、タンブラーを使用する時には、蓋片を上方向に持ち上げて、飲み口と通気孔とを開放する。
【先行技術文献】
【特許文献】
【０００４】
【特許文献１】特開２０１３−１８４７３８号公報
【考案の概要】
【考案が解決しようとする課題】
【０００５】
この従来例のタンブラーにおいては、容器本体が金属製の外筒と内筒とからなるので、熱伝導が良好であり、その結果、保温効果や保冷効果が低いだけでなく、重量が重くなって使いにくいという欠点がある。
【０００６】
また、蓋体の開閉は、蓋片を上下方向に回動させて行うので、その開閉動作は単純で独創性や意外性に欠けるものである。また、蓋体や蓋片の形状はデザイン的に陳腐であり面白みがないという欠点がある。
【０００７】
従って、従来例におけるタンブラーにおいては、保温効果や保冷効果を向上さることと、軽量化を図ることと、蓋体の開閉について独創性や意外性を加味すると共に、蓋体のデザインを斬新なものにすることに解決しなければならない課題を有している。
【課題を解決するための手段】
【０００８】
前記従来例の課題を解決するための本考案の要旨は、合成樹脂製の外ケースと内ケースとからなる容器本体と、該容器本体の縁部に着脱自在に螺着する蓋体と、該蓋体の上部に沿って回転スライドするスライド板とを備えるタンブラーであって、前記蓋体は、中心部から外側位置に設けられ前記スライド板を回転可能に支持する支持孔と、飲み口とを有して、上部が球面形状に形成されており、前記スライド板は、前記支持孔に挿着する支持片を有し、前記蓋体の上部に沿った球面形状に形成されており、前記蓋体の球面形状及び前記スライド板の球面形状は、同一球体の球面の一部を円形に切り取った形状であり、前記スライド板を前記蓋体の上部に重ね合わせた状態で、当該スライド板が回転スライド可能な構成であることである。
【０００９】
前記蓋体の上部には、前記支持孔の縁部に沿って湾曲状の溝部が形成され、該溝部の両方の端部近傍には、段差部が形成されており、前記スライド板には、前記溝部に嵌まって移動する突部が形成されている構成としたものである。
また、前記外ケースと前記内ケースとの間には、発泡ウレタンが充填されている構成としたものである。
【考案の効果】
【００１０】
本考案に係るタンブラーによれば、蓋体は上部が球面形状に形成され、スライド板は蓋体の上部に沿った球面形状に形成され、これらの球面形状は同一球体の球面の一部を円形に切り取った形状であり、そして、スライド板を蓋体の上部に重ね合わせた状態で、当該スライド板が回転スライド可能な構成であることによって、球面形状の部材同士が重畳した状態であって、スライド板がスムーズに回転スライドできることとなる。
従って、スライド板の動きは独創性や意外性が高いものであり、また、デザイン的にも斬新で面白く形成されるという種々の優れた効果を奏する。
【００１１】
蓋体の上部には、支持孔の縁部に沿って湾曲状の溝部が形成され、溝部の両方の端部近傍には、段差部が形成されており、スライド板には、溝部に嵌まって移動する突部が形成されていることによって、スライド板を回転スライドさせた時に、突部が溝部に沿って移動するので、スムーズで確実な動きが確保できる。
また、スライド板を回転スライドさせた時に、突部が段差部を乗り越えてスライド板が止まるので、開閉動作の際にカチッとした開閉感が得られるという種々の優れた効果を奏する。
【００１２】
容器本体は、合成樹脂製の外ケースと内ケースとからなるので、従来例の金属製のものと比較して軽量化が図れる。また、外ケースと内ケースとの間には、発泡ウレタンが充填されていることによって、容器本体の熱伝導が小さくなり、その結果、保温効果や保冷効果が向上するという種々の優れた効果を奏する。
【図面の簡単な説明】
【００１３】
【図１】本考案に係るタンブラー１１の斜視図である。
【図２】本考案に係るタンブラー１１の正面図である。
【図３】本考案に係るタンブラー１１の背面図である。
【図４】本考案に係るタンブラー１１の右側面図である。
【図５】図２のＡ−Ａ線断面図である。
【図６】スライド板１５を回転スライドした状態のタンブラー１１の斜視図である。
【図７】スライド板１５を回転スライドした状態のタンブラー１１の平面図である。
【図８】蓋体１４の平面図である。
【図９】スライド板１５の底面側を示す斜視図である。
【考案を実施するための形態】
【００１４】
次に、本考案の実施の形態について図面を参照しながら説明する。まず、図１から図４において、符号１１はタンブラーを示し、このタンブラー１１は、容器本体１２と、容器本体１２の縁部に着脱自在に螺着する蓋体１４と、蓋体１４の上部に沿って回転スライドするスライド板１５とから構成される。
【００１５】
容器本体１２は、プラスチック等の合成樹脂材で形成され、大きめなコップ形を呈し、図５に示すように、外側の外ケース１６と内側の内ケース１７との二重構造に形成されている。このように容器本体１２は合成樹脂材で形成されるので、従来例の金属製のものと比較して軽量化が図れる。
また、上部の外周縁には、蓋体１４が螺着する雄ネジ部１８が形成されている。
【００１６】
また、外ケースと内ケースとの間には、図５に示すように、発泡ウレタン１９が充填されている。従って、容器本体１２の熱伝導が小さくなって、保温効果や保冷効果が向上する。
【００１７】
蓋体１４は、図４及び図５に示すように、外周に周壁部２０を有しており、周壁部２０の前部２２側が高く、後部２３側が低く形成されている。従って、蓋体１４の上部２１は、前部２２側から後部２３側に沿って低く傾斜状に形成される。また、周壁部２０の前部２２には、凹部２４が形成されている。
周壁部２０の内周縁には、図５に示すように、雄ネジ部１８と螺着する雌ネジ部２５が形成されている。
【００１８】
蓋体１４の上部２１は、図８に示すように、前部２２側に楕円形状に窪んだ段部２６が設けられ、この段部２６の中央部に飲み口２７が形成されている。
また、蓋体１４の上部２１には、中心部から外側位置に支持孔２８が形成されており、支持孔２８は、スライド板１５の支持片２９を回転可能に支持する。
【００１９】
支持孔２８の縁部２８ａに沿った位置には、図８に示すように、湾曲状の溝部３０が形成されている。溝部３０は、スライド板１５の後述する突部３２が嵌まって移動する部位である。また、溝部３０の両方の端部近傍には、段差部３１が形成されている。
【００２０】
また、蓋体１４の上部２１は、球面形状に形成されている。この球面形状は、球体の球面の一部を円形に切り取った形状である。
【００２１】
スライド板１５は、図９に示すように、支持片２９を有しており、支持片２９を支持孔２８に挿着して、スライド板１５を回転可能に支持する。
支持片２９は、図９に示すように、対向した状態で且つ弾性を有して一対設けられており、支持片２９の途中から外方向に突出する突起２９ａが、支持孔２８の突出側の縁部に係止する仕組みである。
【００２２】
スライド板１５には、図９に示すように、突部３２が形成されており、この突部３２が蓋体１４の溝部３０に嵌まって移動する。従って、スライド板１５を回転スライド方向（図６及び図７の符号Ａ参照）にスライドさせた時に、突部３２が溝部３０に沿って移動するので、スムーズで確実な動きが確保できる。
また、スライド板１５を回転スライドさせた時に、突部３２が溝部３０の段差部３１を乗り越えてスライド板１５が止まるので、開閉動作の際にカチッとした開閉感が得られることとなる。
なお、図９中の符号３３は、楕円形状に形成された突条であり、この突条３３が段部２６の縁部分と嵌合して、飲み口２７からの液体漏れを防いでいる。
【００２３】
また、スライド板１５は、蓋体１４の上部２１に沿った球面形状に形成されている。この球面形状は、球体の球面の一部を円形に切り取った形状である。
【００２４】
以上のように構成されるタンブラー１１は、蓋体１４の上部２１の球面形状と、スライド板１５の球面形状とが、同一球体の球面の一部を円形に切り取った形状である。そして、支持孔２８の穿設方向と、支持片２９の突出方向とは、いずれも前記球体の中心部からの延長線に対して平行である。その結果、スライド板１５を蓋体１４の上部２１に重ね合わせた状態で、当該スライド板１５の回転スライドが可能となる。
即ち、球面形状の部材同士が重畳した状態であって、スライド板１５がスムーズに回転スライド方向（図６及び図７の符号Ａ参照）にスライドできるのである。
このように、スライド板１５の蓋体１４に対する動作は、独創性や意外性が高いものであって、また、デザイン的にも斬新で興味深く形成される。
【符号の説明】
【００２５】
１１  タンブラー
１２  容器本体
１４  蓋体
１５  スライド板
１６  外ケース
１７  内ケース
１８  雄ネジ部
１９  発泡ウレタン
２０  周壁部
２１  上部
２２  前部
２３  後部
２４  凹部
２５  雌ネジ部
２６  段部
２７  飲み口
２８  支持孔
２８ａ縁部
２９  支持片
２９ａ突起
３０  溝部
３１  段差部
３２  突部
【図１】
0003210000.tif 000003
【図２】
0003210000.tif 000004
【図３】
0003210000.tif 000005
【図４】
0003210000.tif 000006
【図５】
0003210000.tif 000007
【図６】
0003210000.tif 000008
【図７】
0003210000.tif 000009
【図８】
0003210000.tif 000010
【図９】
0003210000.tif 000011